(57)【要約】【課題】複数のモニタリング対象物のモニタリングを行うシステムを簡易かつ安価に構築でき、かつ、モニタリングに用いるＲＦＩＤタグ自体の不具合も含めて検出できる技術を提供すること。【解決手段】複数のモニタリングタグと、各モニタリングタグで検出したモニタリング情報を、各モニタリングタグに固有のＩＤ情報と関連付けて、まとめて読み取る読取端末を備えたモニタリングシステムであって、前記モニタリングタグが、前記ＩＤ情報を含むメモリ情報を格納したＩＣチップと、該メモリ情報を前記読取端末に送信するアンテナ回路と、タンパー検知用回路を有し、該タンパー検知用回路に、モニタリング対象物に影響を及ぼす特定の刺激に応答して前記ＩＣチップのメモリ情報を変化させる刺激応答部位を設けた。【選択図】図２
2018013942.tif 000002
【特許請求の範囲】
【請求項１】
複数のモニタリングタグと、各モニタリングタグで検出したモニタリング情報を、各モニタリングタグに固有のＩＤ情報と関連付けて、まとめて読み取る読取端末を備えたモニタリングシステムであって、
前記モニタリングタグが、
前記ＩＤ情報を含むメモリ情報を格納したＩＣチップと、該メモリ情報を前記読取端末に送信するアンテナ回路と、タンパー検知用回路を有し、該タンパー検知用回路に、モニタリング対象物に影響を及ぼす特定の刺激に応答して前記ＩＣチップのメモリ情報を変化させる刺激応答部位を設けた、モニタリングシステム。
【請求項２】
前記読取端末で読み取った情報を集積する記憶手段を有する管理サーバを備えた、請求項１に記載のモニタリングシステム。
【請求項３】
前記管理サーバに、前記記憶手段に集積された情報に基づき各モニタリング対象物の状態を評価する演算手段を備えた、請求項２に記載のモニタリングシステム。
【請求項４】
前記モニタリングタグは、シート状の基材に、前記アンテナ回路と前記ＩＣチップを搭載したＲＦＩＤタグを内蔵する、請求項１〜３の何れか１項に記載のモニタリングシステム。
【請求項５】
前記アンテナ回路は、導電性材料の細粒を含む樹脂溶液を前記基材の面上に印刷して形成された回路、又は金属箔を前記基材の面上に圧着及びエッジングして形成した回路である、請求項１〜４の何れか１項に記載のモニタリングシステム。
【請求項６】
前記モニタリングタグが、少なくとも前記タンパー検知用回路を封止する封止材を有し、該封止材に、前記刺激応答部位を露出させる開口部を形成した、請求項１〜５の何れか１項に記載のモニタリングシステム。
【請求項７】
前記刺激応答部位が、タンパー検知用回路を刺激応答性樹脂で被覆してなる、請求項１〜６の何れか１項に記載のモニタリングシステム。
【請求項８】
前記刺激応答部位が、刺激応答性金属からなる、請求項１〜６の何れか１項に記載のモニタリングシステム。
【請求項９】
複数のモニタリングタグと、各モニタリングタグで検出したモニタリング情報を、各モニタリングタグに固有のＩＤ情報と関連付けて、まとめて読み取る読取端末を用いるモニタリング方法であって、
前記モニタリングタグとして、ＩＤ情報を含むメモリ情報を格納したＩＣチップと、該メモリ情報を読取端末に送信するアンテナ回路と、タンパー検知用回路を有し、該タンパー検知用回路に、モニタリング対象物に影響を及ぼす特定の刺激に応答して前記ＩＣチップのメモリ情報を変化させる刺激応答部位を設けたモニタリングタグを用いる、モニタリング方法。
【請求項１０】
前記複数のモニタリングタグを、それぞれ別個のモニタリング対象物に設置してモニタリングを行う請求項９に記載のモニタリング方法。
【請求項１１】
前記複数のモニタリングタグのうち、少なくとも２以上のモニタリングタグを、同一のモニタリング対象物に設置してモニタリングを行う請求項９に記載のモニタリング方法。
【発明の詳細な説明】
【技術分野】
【０００１】
本発明は、モニタリングシステム及びモニタリング方法に関するものである。
【背景技術】
【０００２】
大規模プラント等では、設備異常による操業停止を防止するため、複数の機器の監視を常時もしくは定期的に行うモニタリングシステムが導入されている。
大規模なモニタリングシステムにおいて、長距離のケーブル布設を避けるために、無線タグを検出部に配置してモニタリングを行う技術が知られている。例えば、特許文献１には、振動を検知するセンサを備えたＲＦＩＤタグを利用してモニタリングを行う技術が開示されている。
【０００３】
しかし、特許文献１の技術は、センサで検知した情報を外部の監視装置に伝送して、この監視装置の演算部で演算処理を行った後に、その演算結果を監視装置の表示部に表示することを前提とする技術であるため、複雑なシステム構成となる。このためシステム導入に際し手間がかかり、かつ大きなコストが必要となるという問題があった。
【０００４】
また、特許文献１の技術では、ＲＦＩＤタグ自体に損傷等の不具合が生じている場合に、その不具合を検知することはできないという問題もあった。
【先行技術文献】
【特許文献】
【０００５】
【特許文献１】特開２００９−１３３８１０号公報
【発明の概要】
【発明が解決しようとする課題】
【０００６】
本発明はこのような事情に鑑みてなされたものであり、本発明の目的は上記した従来技術の問題を解決し、複数のモニタリングタグを用いてモニタリングを行うシステムを簡易かつ安価に構築でき、かつ、モニタリングに用いるＲＦＩＤタグ自体の不具合も含めて検出できる技術を提供することである。
【課題を解決するための手段】
【０００７】
上記のような問題を解決するため、本発明者らは鋭意検討した結果、特定の刺激に応答して前記ＩＣチップのメモリ情報を変化させる刺激応答部位を設けたモニタリングタグ、を用いることによって上記問題を解決することができることを見出し、以下の発明を完成させた。本発明は、以下の［１］〜［１１］を提供する。
［１］複数のモニタリングタグと、各モニタリングタグで検出したモニタリング情報を、各モニタリングタグに固有のＩＤ情報と関連付けて、まとめて読み取る読取端末を備えたモニタリングシステムであって、前記モニタリングタグが、前記ＩＤ情報を含むメモリ情報を格納したＩＣチップと、該メモリ情報を前記読取端末に送信するアンテナ回路と、タンパー検知用回路を有し、該タンパー検知用回路に、モニタリング対象物に影響を及ぼす特定の刺激に応答して前記ＩＣチップのメモリ情報を変化させる刺激応答部位を設けた、モニタリングシステム。
［２］前記読取端末で読み取った情報を集積する記憶手段を備えた管理サーバを備えた、［１］に記載のモニタリングシステム。
［３］前記管理サーバに、前記記憶手段に集積された情報に基づき各モニタリング対象物の状態を評価する演算手段を備えた、［２］に記載のモニタリングシステム。
［４］前記モニタリングタグは、シート状の基材に、前記アンテナ回路と前記ＩＣチップを搭載したＲＦＩＤタグを内蔵する［１］〜［３］の何れかに記載のモニタリングシステム。
［５］前記アンテナ回路が、導電性材料の細粒を含む樹脂溶液を前記基材の面上に印刷して形成された回路、又は金属箔を前記基材の面上に圧着及びエッジングして形成した回路である、［１］〜［４］の何れかに記載のモニタリングシステム。
［６］前記モニタリングタグが、少なくとも前記タンパー検知用回路を封止する封止材を有し、該封止材に、前記刺激応答部位を露出させる開口部を形成した、［１］〜［５］の何れかに記載のモニタリングシステム。
［７］前記刺激応答部位が、タンパー検知用回路を刺激応答性樹脂で被覆してなる、［１］〜［６］の何れかに記載のモニタリングシステム。
［８］前記刺激応答部位が、刺激応答性金属からなる、［１］〜［６］の何れかに記載のモニタリングシステム。
［９］複数のモニタリングタグと、各モニタリングタグで検出したモニタリング情報を、各モニタリングタグに固有のＩＤ情報と関連付けて、まとめて読み取る読取端末を用いるモニタリング方法であって、
前記モニタリングタグとして、ＩＤ情報を含むメモリ情報を格納したＩＣチップと、該メモリ情報を読取端末に送信するアンテナ回路と、タンパー検知用回路を有し、該タンパー検知用回路に、モニタリング対象物に影響を及ぼす特定の刺激に応答して前記ＩＣチップのメモリ情報を変化させる刺激応答部位を設けたモニタリングタグを用いる、モニタリング方法。
［１０］前記複数のモニタリングタグを、それぞれ別個のモニタリング対象物に設置してモニタリングを行う、［９］に記載のモニタリング方法。
［１１］前記複数のモニタリングタグのうち、少なくとも２以上のモニタリングタグを、同一のモニタリング対象物に設置してモニタリングを行う、［９］に記載のモニタリング方法。
【発明の効果】
【０００８】
上記構成からなる本発明によれば、複数のモニタリング対象物のモニタリングを行うモニタリングシステムを簡易かつ安価に構築でき、かつ、モニタリングに用いるＲＦＩＤタグ自体の不具合も含めて検出できるモニタリングシステムを実現することができる。
【図面の簡単な説明】
【０００９】
【図１】モニタリングシステムの全体構成を概念的に示すブロック図である。
【図２】モニタリングタグと読取端末と管理サーバの回路構成例を示すブロック図である。
【図３】モニタリングタグの概略図である。
【図４】モニタリングタグと読取端末と管理サーバの回路構成例を示す他の実施形態におけるブロック図である。
【発明を実施するための形態】
【００１０】
以下、本発明の一実施形態におけるモニタリングシステムを詳述する。
【００１１】
このモニタリングシステムは、図１に示すように、複数のモニタリングタグ１と各モニタリングタグで検出したモニタリング情報を各モニタリングタグ１に固有のＩＤ情報と関連付けてまとめて読み取る読取端末２を備えたモニタリングシステムである。読取端末２で読み取った情報を管理する管理サーバ１３を備えることが好ましい。
各モニタリングタグ１は、それぞれ別のモニタリング対象物に設置したものでも、同一のモニタリング対象物の異なる箇所に設置したものでもよい。モニタリングタグの設置方法は特に限定されず、貼付や埋設等、適宜最適な形態を採用することができる。
読取端末２は、モニタリングタグ１に対して非接触で信号の伝達および電力の供給が可能なものであり、例えば、汎用のリーダ或いはリーダライタ（以下リーダライタ等）を用いることができる。
【００１２】
＜モニタリングタグ＞
モニタリングタグ１は、図２及び図３に示すように、ＲＦＩＤタグ３を内蔵している。ＲＦＩＤタグ３とは、固体識別情報（Identification）を記憶したＩＣチップ４を埋め込んだ無線用（Radio Frequency）タグを意味する。
モニタリングタグ１の形状は、ラベル型、カード型、コイン型、スティック型等の形状から、用途に応じて最適なものを選択することができる。
【００１３】
モニタリングタグ１は、特定の刺激に応答して刺激を検出する刺激応答部位６を備えている。この刺激応答部位６は、ＩＣチップ４から引き出されたループ回路７に形成されている。
図３に示すように、モニタリングタグ１は、前記のＲＦＩＤタグ３とループ回路７と刺激応答部位６と後述する送受信アンテナ１７を、封止材で封止して構成されている。
封止材としては、ポリエチレン樹脂、ポリプロピレン樹脂、ポリスチレン樹脂、ポリ塩化ビニル樹脂、アクリル樹脂、ポリカーボネート樹脂、ポリテトラフルオロエチレン樹脂、ポリウレタン樹脂、エポキシ樹脂、シリコーン樹脂、ＥＶＡ樹脂からなる群から構成される少なくとも何れかを用いることが好ましい。封止材で封止後、さらに、カバーフィルムを積層することが好ましい。
カバーフィルムは、センサが設置される環境に応じて、適宜最適なものを選択することが好ましく、ポリエチレンフィルム、ポリプロピレンフィルム、塩化ビニルフィルム、ポリスチレンフィルム、ポリエチレンテレフタレート（ＰＥＴ）フィルムからなる群から構成される少なくとも何れかを用いることが好ましい。
カバーフィルムは、耐候性(耐湿、耐熱、耐塩害等)、水蒸気バリア性、電気絶縁性、機械的特性(引張強度、伸び、引裂き強度等)、耐薬品性、封止材との接着性などの要求に応じて、様々な性能をもつフィルム(ＰＶＦ、ＰＥＴ等)を積層させた構造とすることもできる。
【００１４】
通常、タンパー検知用回路とは、ＲＦＩＤタグ３が取り付けられた対象物から、ＲＦＩＤタグ３が故意に（盗難等の目的のために）引き剥がされた場合に、機械的に破壊されるように設けられた回路、すなわち、その回路の開裂によって、その要因となった行為（すなわち、タンパー行為）を検知することを目的として敷設された回路を意味する。本明細書において、タンパー検知用回路とは、前記のようなＲＦＩＤタグ３の引き剥がしを検出する回路の他に、ＲＦＩＤタグ３が取り付けられたモニタリング対象物が、その特性に影響を及ぼす特定の刺激に晒された場合に、その刺激に起因した物理的あるいは化学的反応によって断線もしくは短絡が生じて抵抗が変化する回路、すなわち、その抵抗の変化によって、特定の刺激に晒されたことを検知することを目的として敷設された回路をも含むものとする。
【００１５】
＜刺激応答部位＞
このタンパー検知用回路であるループ回路７には、上記の物理的あるいは化学的反応を生じる刺激応答部位６を備えている。
本明細書において、刺激応答部位とは、モニタリング対象物が、その特性に影響を及ぼす特定の刺激に晒された場合に「応答する」機能、具体的には、特定の刺激に晒された場合に、その刺激に起因した物理的あるいは化学的反応を生じさせて、タンパー検知用回路を断線・短絡、もしくは導通させて、ＩＣチップへのメモリ情報を変化させる機能、すなわち、外部環境の変化を検知するセンサ機能を有する部位を意味する。
【００１６】
ループ回路７の両端は、ＲＦＩＤタグ３内のＩＣチップ４の所定のピンに有線接続されている。ＩＣチップ４は、ループ回路７の抵抗状態の高低を区別して検知可能なもの（例えば、NXP Semiconductors社製UCODE G2iL+）を使用することが好ましい。
ループ回路７は、通電可能なループとしてつながっていればよく、形状は特に限定されない。使用環境及び使用目的等に応じて、平面、湾曲、ロッド状等、適宜最適な形状に設計することができる。ループ回路７の大きさも同様に、適宜最適な大きさとすることができる。
ループ回路７に刺激応答部位６を設けた本発明によれば、ループ回路７を自在に配線して刺激応答部位６を所望の位置に配置することができるため、送受信アンテナ１７をモニタリング対象物の表面あるいは表面近傍に配置してリーダライタ等との通信距離を維持しつつ、所望の箇所のモニタリングを高い精度で行うことができる。また、例えば、刺激応答部位６を地下ガソリンタンク内部に配置して地下ガソリンタンク内部の腐食を検出したり、電柱に配置して漏電を検出したり、土中配管等に配置して漏水及び漏電を検出したり等、各種用途に幅広く適用することができる。
【００１７】
前記のように刺激応答部位６が特定の刺激に応答してループ回路７が断線もしくは短絡して、ループ回路７の抵抗が変化した場合には、ＩＣチップ４内でメモリ９の書き換えが行われ、メモリ情報が変化する。
例えば、ループ回路７が断線もしくは短絡して、高抵抗状態となった場合、メモリ９の所定アドレスの「フラグ」がＯＦＦからＯＮ（或いはＯＮからＯＦＦ）となるようにして、これをリーダライタ等で読み取ることにより、ＲＦＩＤタグ３が取り付けられたモニタリング対象物が特定の刺激に晒されたことを検知するシステムを構築することができる。
上記のように、本実施形態で用いるセンサ１は、ＩＣチップ４に、ループ回路７とアンテナ回路５の２つの回路をそれぞれ接続し、ループ回路７に設けた刺激応答部位６が特定の刺激に応答してループ回路７の抵抗が変化したことを、ＩＣチップ４内でメモリ情報として記憶させるものであるため、簡単な回路構成からなるコンパクトなセンサとすることができる。例えば、センサ部の構成として、複数の刺激応答部位を並列に接続して並列回路を構成し、各刺激応答部位とそれぞれ直列に抵抗器を配置して、合成抵抗値の変化に基づいて腐食箇所を特定する等、何らかの演算処理を必要とする構成を採用する場合には、センサ部で検出される情報を演算処理して測定値とするコンピュータチップをＲＦＩＤタグ内に設ける必要があり、センサ部をコンピュータチップに接続する端子も必要となるため、ＲＦＩＤタグを大型化せざるを得ず、演算処理用の電力も必要となるが、上記のように、ＩＣチップ４に接続したループ回路７に刺激応答部位６を設ける構造とすることにより、上記のコンピュータチップが不要となる他、センサをコンピュータチップに接続する端子も不要となり、省電力で、コンパクトかつ簡易な構造で、配置の自由度が高いシステムを構築することができる。
本実施形態では、図２に示すように、アンテナ回路５とＩＣチップ４を有線接続しているが、他の実施形態として図４に示すように、ＩＣアンテナを用いず磁界及び／又は電波共振を利用した無線方式を採用することもできる。
【００１８】
＜ＲＦＩＤタグ＞
ＲＦＩＤタグ３は、ＩＤ情報を含むメモリ情報を格納したＩＣチップ４と、アンテナ回路５と、ループ回路７を有している。
ループ回路７は、その回路の断線もしくは短絡によって、タンパーの発生を検知することを目的として敷設されたタンパー検知用回路であり、このタンパー検知用回路であるループ回路７には、上記の物理的あるいは化学的反応を生じる刺激応答部位６を備えている。
アンテナ回路５は、前記のメモリ情報を読取端末２に送信する送受信アンテナ１７と接続する回路である。送受信アンテナ１７は、リーダライタ２から発信された電波を受信する機能、及び、ＩＣチップ４内のメモリ情報を、ＩＣチップ４の内蔵回路１９を経て、リーダライタ２に送信する機能を有する。
前記アンテナ回路は、導電性材料の細粒を含む樹脂溶液を前記基材の面上に印刷して形成、又は金属箔を前記基材の面上に圧着及びエッジングして形成することができる。
【００１９】
ＲＦＩＤタグ３は、電池を内蔵しないパッシブタイプのＲＦＩＤタグである。
ＲＦＩＤタグ３の通信距離は、数ｍｍ〜数ｍの中から、用途に応じて最適なものを選択することができる。
【００２０】
ＲＦＩＤタグ３の製造方法は特に限定されないが、例えば、絶縁性フィルムの表面に硬質アルミニウム箔を張り合わせて長尺の基材を用意し、次に、アルミニウム箔面に、グラビア印刷でエッチングレジストを形成した後、塩化第二鉄水溶液にてエッチングを行って、ＩＣチップ４との整合回路を有するＩＣアンテナ１８を形成することができる。次に、ＩＣチップ４の外部端子となるバンプを、ＩＣアンテナ１８の所定の位置にフリップチップ構造にて位置合わせし、超音波を印加して接合を行った後、ＩＣチップ４とＩＣアンテナ１８の空隙には封止樹脂を充填し、加熱硬化して複数個のＩＣチップ４を搭載したアンテナテープを得ることができる。アンテナテープをカットし、余剰部分を取り除くことで、使用したＩＣチップ４と同数のＲＦＩＤタグ３を作製することができる。
【００２１】
ＩＣチップ４は、例えば、０．４ｍｍから１ｍｍ角程度の小さな半導体チップであり、基材の中央に配置されている。
【００２２】
ＩＣチップ４には、ＣＰＵ８とメモリ９が搭載され、特定のＩＤ等を格納する媒体としてのメモリ機能を備えている。データ改ざん等を防ぐための暗号化処理を行うためのプログラムを備えることもできる。
【００２３】
＜刺激応答部位＞
前記のように、モニタリングタグ１は、ＲＦＩＤタグ３とループ回路７に形成した刺激応答部位６を、封止材で封止して構成されているが、図３に示すように、モニタリングタグ１は、刺激応答部位６の少なくとも一部を封止材から露出させる開口部２１を有している。
【００２４】
なお、刺激応答部位６を、ＲＦＩＤタグ３又はアンテナ回路の少なくとも何れかに設け、刺激応答部位６が刺激に応答した際に、刺激応答部位６の設置箇所で断線もしくは短絡を生じさせ、その結果、センサがリーダライタ等に対して応答しなくなることを指標としてモニタリング対象物が特定の刺激に晒されたことを検知するシステムを構築することはできる。
ただし、この場合には、読取端末２に対して応答がなくなった原因が、刺激応答部位６が刺激に応答したことに起因するものなのか、もしくは、モニタリングタグの破損に起因するものなのかは区別することができない。
このため、正確な判断のためには、例えば、複数のモニタリングタグ１を使用して、全てのモニタリングタグ１が読取端末２に対して応答しなくなった場合には、刺激応答部位６が刺激に応答したものと判断し、何れかのモニタリングタグ１のみが読取端末２に対して応答しなくなった場合には、そのモニタリングタグ１の故障と判断する、等の手段が必要となる。
これに対し、ループ回路７に刺激応答部位６を備えた場合、刺激応答部位６が刺激に応答した状態でも、ＲＦＩＤタグ３自体及びアンテナ回路５は影響を受けず、センサとリーダライタ等と間の通信は行われるため、上記のような手段によらず、刺激応答部位が刺激に応答した状態と、モニタリングタグ１の破損を区別することができる。
【００２５】
刺激応答部位６の構造は特に限定されないが、例えば、ループ回路７の少なくとも一部を刺激応答性樹脂で被覆して構成することができる。あるいは、ループ回路７の少なくとも一部を刺激性応答性金属に置き換えて構成することができる。ループ回路７の全てを刺激応答性樹脂で被覆したり、ループ回路７の全てを刺激性応答性金属で構成することもできる。
上記の刺激応答性樹脂及び刺激性応答性金属は、検出対象とする刺激に応じて、適宜選択することができる。
【００２６】
具体的には、刺激応答性樹脂としては、例えば、熱応答性樹脂材料、ｐＨ応答性樹脂材料、応力応答性樹脂材料、光応答性樹脂材料、特定の物質に応答する樹脂材料、またこれら複数を組み合わせた樹脂材料等を例示することができる。
刺激性応答性金属としては、例えば、検出対象とする刺激によって変質（腐食等）して断線する金属或いは不導体となる金属を例示することができる。
また、ループ回路を形成する金属の一部の厚み或いは幅を変更して刺激応答性を向上させて刺激性応答性金属とすることもできる。
【００２７】
＜読取端末＞
読取端末２は、中央処理装置（ＣＰＵ）２２、メモリ２３、送受信回路１０、および電源回路１１を有している。アンテナ１２および送受信回路１０を介して、中央処理装置（ＣＰＵ）２２とＲＦＩＤタグ４との間で信号の送受信が行われる。読取端末２は、さらに管理サーバ１３として機能するコンピュータに対して通信経路１４を介して接続する通信手段１５を有している。通信経路１４は、単なるケーブルまたは無線通信回線であっても、またローカルエリアネットワーク、インターネット、又はその他の広域ネットワークであってよい。
【００２８】
前記のように、読取端末２として、汎用のリーダライタ等を用いることができる。リーダライタ等を、送受信アンテナ１７とＲＦＩＤタグ３と共に用いて、近距離の無線通信により情報の送受信を行うことができる。送受信アンテナ１７は、リーダライタ等との通信距離の観点から、モニタリング対象物の表面あるいは表面近傍に位置させることが好ましい。一方、刺激応答部位６は、検出精度の観点から、モニタリング対象物の表面もしくは表層付近に限定されることなく、任意の箇所に自由に配置することが好ましい。
リーダライタ等から発信された電波は、モニタリングタグ１の送受信アンテナ１７を介してＩＣアンテナ１８に伝達され、これによりＩＣチップ４に電力が誘導されることによって、リーダライタ等とＩＣチップ４との間で、非接触による情報の送受信が行われる。
【００２９】
＜管理サーバ＞
管理サーバ１３は、読取端末で読み取った情報を集積する記憶手段２０と、記憶手段２０に集積された情報に基づき各モニタリング対象物の状態を評価する演算手段１６を備えている。
【００３０】
＜モニタリング方法＞
リーダライタ等の読取端末２を用いて、モニタリングタグ１内のＩＣチップ４のメモリ情報を読み取ることができる。
所定の日時が経過する毎にこの読み取りを行うことで、モニタリング対象物の経時変化を、分析用試験片のサンプリング及びその分析等の煩雑な作業を伴わず、簡単に追跡することができる。
具体的には、例えば、鉄筋コンクリート構造物における中性化進行をモニタリングする場合、刺激応答部位を、水素イオン指数（ｐＨ）に応答するものとしておくことで、その鉄筋コンクリート構造物における中性化進行を、非破壊で短時間に検知することができ、刺激応答部位を、鉄筋コンクリート構造物の劣化因子である塩素イオン濃度に応答するものとしておくことで、その鉄筋コンクリート構造物における塩害の進行を、非破壊で短時間に検知することができる。
【００３１】
前記のメモリ情報から、「刺激応答部位が所定の刺激に応答した、もしくは、タンパー行為が行われた状態」「刺激応答部位が所定の刺激に応答していない、かつ、タンパー行為も行われていない正常状態」「モニタリングタグが損傷した状態」の何れの状態にあるかを判定することができる。
【００３２】
本発明のモニタリングシステムは、刺激応答部位６が刺激に応答した際に、刺激応答部位６の設置箇所で断線もしくは短絡を生じさせ、その結果、センサがリーダライタ等に対して応答しなくなることを指標としてモニタリング対象物が特定の刺激に晒されたことを検知するものであるため、従来技術のように演算処理等の複雑な手順を介することなくモニタリング結果を把握することができる。このため、複雑な構成のシステムは不要であり、複数のモニタリング対象物のモニタリングを行うモニタリングシステムを簡易かつ安価に構築できる。また、上記のように、本発明によれば、モニタリングに用いるＲＦＩＤタグ自体の不具合も含めて検出できるため、検出精度の向上を図ることもできる。
【００３３】
読取端末２の読み取り結果は、常に管理サーバ１３に送信してもよいし、ある一定の条件に達したときにのみ管理サーバ１３に送信するようにしてもよい。上記一定の条件に達したか否かの判断は、読取端末２に設けた条件判定手段によって行わせることができる。このような操作を、１台の読取端末２で多数の（例えば１００個）のモニタリングタグ１に対して行うようにしてもよい。このように、１台の読取端末２で多数のモニタリングタグ１を監視することができるため、多数のモニタリングタグ１を用いてモニタリングを行う際の労力を大幅に低減し、保守管理業務の効率を改善することができる。
【符号の説明】
【００３４】
１  モニタリングタグ
２  読取端末
３  ＲＦＩＤタグ
４  ＩＣチップ
５  アンテナ回路
６  刺激応答部位
７  ループ回路
８  中央処理装置（ＣＰＵ）
９  メモリ
１０  送受信回路
１１  電源回路
１２  アンテナ
１３  管理サーバ
１４  通信経路
１５  通信手段
１６  演算手段
１７  送受信アンテナ
１８  ＩＣアンテナ
１９  内蔵回路
２０  記憶手段
２１  開口部
２２  中央処理装置（ＣＰＵ）
２３  メモリ
【図１】
2018013942.tif 000003
【図２】
2018013942.tif 000004
【図３】
2018013942.tif 000005
【図４】
2018013942.tif 000006